(57)【要約】  穴鋸（１４）を梱包する方法は、穴鋸の円形刃先部分（２０）を吊下げタグアセンブリ（１０）のベース部材（３８）の表面に対して位置することを含む。ベース部材は、表面から穴鋸によって画定される中空内部（３２）内に延在するポストを含む。吊下げタグアセンブリのキャップ部材（３６）は、穴鋸の取り付け部分（１８）に隣接して配置される。キャップ部材は、脚（６０）と展示カード部分（５０）を含む。脚は、取り付け部分に画定される穴（２６）を通って穴鋸の中空内部内へ前進される。ポストは、続いて、穴鋸の中空内部内で脚に固定される。【選択図】図２
2015511200.tif 000002
【特許請求の範囲】
【請求項１】
穴鋸を梱包する方法であって、
前記穴鋸の円形刃先部分を吊下げタグアセンブリのベース部材の表面に対して配置する工程であって、前記ベース部材は前記表面から前記穴鋸により画定される中空内部に延在するポストを含む、工程と、
前記吊下げタグアセンブリのキャップ部材を前記穴鋸の取り付け部分に隣接して配置する工程であって、前記キャップ部材は脚と展示カード部分を含む、工程と、
前記キャップ部材の前記脚を前記穴鋸の前記取り付け部分に画定される穴を通過させて前記穴鋸の前記中空内部に前進させる工程と、
前記穴鋸の前記中空内部内で前記ポストを前記脚に固定する工程と、を含む、方法。
【請求項２】
請求項１に記載された方法において、
前記ポスト及び前記脚が共に固定されたとき、前記キャップ部分は前記ベース部材から所定の距離に位置され、前記所定の距離は前記穴鋸の高さに対応する、方法。
【請求項３】
請求項１に記載された方法において、
前記ポストは、チャネルと前記チャネル内への開口を画定する遠位端部分とを画定する内部壁を含み、
前記脚は、前記開口を通過して、前記ポストに画定される前記チャネル内に前進される、方法。
【請求項４】
請求項３に記載された方法において、
前記脚は、前記チャネル内での前記ポストとのスナップ式の係合用に構成される、方法。
【請求項５】
請求項４に記載された方法において、
前記ポストは、前記内部壁から前記チャネル内に突出するフランジ構造を含み、
前記脚は、頂上部分を含み、
前記脚が前記チャネル内に前進されたとき、前記脚の前記頂上部分は、前記フランジ構造を外側にそらして前記頂上部分に前記チャネル内の前記フランジ構造を通過させて前進させ、
前記頂上部分が前記チャネル内の前記フランジ構造を通過して前進された後、前記フランジ構造は通常位置に戻り、前記頂上部分が前記チャネルから取り外されることを防止する、方法。
【請求項６】
穴鋸展示梱包であって、
刃先部分と取り付け部分とを有する円筒形本体を含む穴鋸であって、前記円筒形本体は中空内部を画定し、前記取り付け部分は駆動工具のアーバーを受けるための穴を画定する外表面を含む、穴鋸と、
吊下げタグアセンブリであって、
表面と前記表面から延在する第１連結構造とを有するベース部材と、
内表面と前記内表面から延在する第２連結構造とを有するキャップ部材と、
前記キャップ部材に取り付けられる展示カード部分と、を有する吊り下げタグアセンブリと、を有し、
前記穴鋸の前記刃先部分は、前記ベース部材の前記表面に対して配置され、
前記キャップ部材の前記内表面は、前記取り付け部分の前記外表面に隣接して配置され、
前記第２連結構造は、前記外表面に画定される前記穴を通過して前記穴鋸の前記中空内部内へ延在し、
前記第１連結構造は、前記キャップ部材を前記ベース部材に取り付けるために前記中空内部内で前記第２連結構造に固定される、穴鋸展示梱包。
【請求項７】
請求項６に記載されたアセンブリにおいて、
前記第１連結構造及び前記第２連結構造は、前記ベース部材の前記表面と前記キャップ部材の前記内部表面とを互いに所定距離離して保持し、前記所定距離は前記刃先部分と前記穴鋸の前記取り付け部分の前記外表面との間の距離に対応する、アセンブリ。
【請求項８】
請求項６に記載されたアセンブリにおいて、
前記第１連結構造及び第２連結構造は、前記第１連結構造を前記第２連結構造に固定するために相互のスナップ式の係合用に構成される、アセンブリ。
【請求項９】
請求項８に記載されたアセンブリにおいて、
前記第１連結構造は、チャネルを画定するポストを有し、
前記第２連結構造は、前記チャネル内に受けられる脚を有する、アセンブリ。
【請求項１０】
請求項６に記載されたアセンブリにおいて、
前記吊下げタグアセンブリは、セキュリティー機器を含む、アセンブリ。
【請求項１１】
請求項６に記載されたアセンブリにおいて、
前記ベース部材の前記表面は、前記穴鋸の前記刃先部分に重なる、アセンブリ。
【請求項１２】
穴鋸のための吊下げタグアセンブリであって、
表面と前記表面から延在する第１連結構造とを含むベース部材と、
内表面と前記内表面から延在する第２連結構造とを含むキャップ部材と、
前記キャップ部材に取り付けられる展示カード部分であって、前記展示カード部分は吊下げスロットを画定する、展示カード部分と、を有し、
前記第１連結構造及び前記第２連結構造は、前記キャップ部材を前記ベース部材に取り付けるために互いに固定されるように構成され、
前記ベース部材の前記平面は、穴鋸の円形刃先部分に対して配置されるように構成され、
前記キャップ部材の前記内表面は、前記穴鋸の取り付け部分に隣接して配置されるように構成され、
前記第２連結構造は、前記内表面が前記穴鋸の前記取り付け部分に隣接して配置されたときに、前記取り付け部分により画定される穴を通じて延在するように構成され、
前記ベース部材の前記表面が前記穴鋸の前記刃先部分に隣接して配置され且つ前記キャップ部材の前記内表面が前記穴を通じて延在する前記第２連結構造で前記穴鋸の前記取り付け部分に隣接して配置されたとき、前記第１連結構造及び前記第２連結構造は、前記穴鋸内に画定される中空内部内で接触するように構成される、吊下げタグアセンブリ。
【請求項１３】
請求項１２に記載された吊下げタグアセンブリにおいて、
前記第１連結構造及び前記第２連結構造は、前記穴鋸の前記中空内部内で互いに固定されるように構成される、吊下げタグアセンブリ。
【請求項１４】
請求項１２に記載された吊下げタグアセンブリにおいて、
前記展示カード部分に取り付けられるセキュリティー機器を有する、吊下げタグアセンブリ。
【請求項１５】
請求項１２に記載された吊下げタグアセンブリにおいて、
前記ベース部材の前記表面は、前記穴鋸の前記円形刃先部分に重なるように構成された円形形状を有する、吊下げタグアセンブリ。
【請求項１６】
請求項１２に記載された吊下げタグアセンブリにおいて、
記第１連結構造及び前記第２連結構造が互いに固定されたとき、前記キャップ部材の前記内表面は前記ベース部材の前記表面から所定距離で保持され、前記所定距離は前記穴鋸の高さに対応する、吊下げタグアセンブリ。
【発明の詳細な説明】
【技術分野】
【０００１】
［0001］本発明は、穴鋸に関し、特に穴鋸のための吊り下げタグ及び展示梱包に関する。
【背景技術】
【０００２】
［0002］穴鋸は、使用者が木、スチール、ファイバーガラス、プラスチック等のような材料に円形の切り取りをすることができる道具である。典型的には、穴鋸は、その本体の一端部に設けられる円形の刃先を備えた円筒形状の本体を有する。円筒形本体の他端部は、パワードリルのような駆動工具のアーバー（ａｒｂｏｒ）又は心棒に穴鋸を取り外し可能に固定するように構成された穴を画定する取り付け部分を含む。
【０００３】
［0003］展示梱包は、開発され続けており、壁や展示ケースから延びるロッド又はフックに梱包された製品を吊り下げることによってほとんどの種類の工具及び工具の付属品を店舗に展示することができる。これらの展示梱包は、容易に見えるように製品を保持し、識別ラベルのための表面を提供し、ロッド又はフックに吊り下げタグを配置するための吊り下げスロットを提供し、盗難を防止するためにＳｅｎｓｏｒｍａｔｉｃタグのようなセキュリティー機器を保持するようにデザインされた、吊り下げタグ又はクリップタグとして一般に知られている。
【０００４】
［0004］工具及び工具の付属品のための吊り下げタグ梱包は、典型的には、出来る限り工具又は工具の付属品が客に容易に見えるように露出され又は目に見えるようにしておく一方で、工具及び工具の付属品を安全な方法で保持するように設計される。例えば、刃先を有する工具及び工具の付属品を展示するときは、刃先が客や従業員に危険をもたらさないようにいくつかの方法で刃先を覆うことが、展示梱包の一般的な方法である。しかしながら、穴鋸の円筒形本体及び円形刃先は、刃先を守るように覆っておく一方で、穴鋸の視認性を最大限にする方法で穴鋸を吊り下げタグに固定することを困難にする。結果として、穴鋸は典型的には穴鋸を完全に覆う箱に梱包される。効果的である一方で、この種の梱包はたいてい吊り下げタグ型の展示梱包よりも費用がかかり、より多くのスペースをとる。
【０００５】
［0005］穴鋸の円形刃先を守るように覆いながら穴鋸を最大限に露出させる方法で穴鋸を吊り下げタグに固定することができ、且つ安価に製造し、容易に設置する、穴鋸のための吊り下げタグアセンブリが必要とされる。
【発明の概要】
【０００６】
［0006］本開示の一実施形態によれば、穴鋸を梱包する方法は、穴鋸の円形の刃先部分を吊り下げタグアセンブリのベース部材の平面に対して配置することを含む。ベース部材は、平面から穴鋸により画定される中空内部に延びるポストを含む。吊り下げタグアセンブリのキャップ部材が、穴鋸の取り付け部分に隣接して配置される。キャップ部材は、脚及び展示カード部分を含む。脚は、取り付け部分に画定される穴を通過して、穴鋸の中空内部に前進される。ポストは、続いて、穴鋸の中空内部内で脚に固定される。
【０００７】
［0007］本開示の他の一実施形態によれば、穴鋸展示梱包は、穴鋸と吊り下げタグアセンブリを含む。穴鋸は、刃先部分と取り付け部分とを有する円筒形本体を含む。円筒形本体は中空内部を画定し、取り付け部分は駆動工具のアーバーを受けるための穴を画定する外表面を含む。吊り下げタグアセンブリは、ｉ）平面と平面から延びる第１連結構造を有するベース部材と、ｉｉ）内表面と内表面から延びる第２連結構造を有するキャップ部材と、ｉｉｉ）キャップ部材に取り付けられる展示カード部分と、を含む。穴鋸の刃先部分は、ベース部材の平面に対して配置される。キャップ部材の内表面は、取り付け部分の外表面に隣接して配置される。第２連結構造は、外表面に画定される穴を通過して、穴鋸の中空内部に延びる。第１連結構造は、キャップ部材をベース部材に取り付けるために中空内部内で第２連結構造に固定される。
【０００８】
［0008］本開示のさらに他の一実施形態によれば、穴鋸のための吊り下げタグアセンブリは、ｉ）平面と平面から延びる第１連結構造とを含むベース部材と、ｉｉ）内表面と内表面から延びる第２連結構造とを含むキャップ部材と、ｉｉｉ）キャップ部材に取り付けられる展示カード部分とを含む。展示カード部分は、吊り下げスロットを画定する。第１連結構造及び第２連結構造は、キャップ部分をベース部材に取り付けるために互いに固定されるように構成される。ベース部材の平面は、穴鋸の円形の刃先部分に対して配置されるように構成される。キャップ部材の内表面は、穴鋸の取り付け部分に隣接して配置されるように構成される。第２連結構造は、内表面が穴鋸の取り付け部分に隣接して配置されるときに、取り付け部分により画定される穴を通って延びるように構成される。ベース部材の平面が穴鋸の刃先部分に隣接して配置され、第２固定構造が穴を通って延びた状態でキャップ部材の内表面が穴鋸の取り付け部分に隣接して配置されるとき、第１連結構造及び第２連結構造は穴鋸内に画定される中空内部内で接触するように構成される。
【図面の簡単な説明】
【０００９】
【図１】［0009］図１は、穴鋸が吊り下げタグアセンブリに固定された状態の吊り下げタグアセンブリと穴鋸の側面図である。
【図２】［0010］図２は、図１の吊り下げタグアセンブリと穴鋸の側断面図である。
【図３】［0011］図３は、アダプタが穴鋸に固定され、穴鋸とアダプタが吊り下げタグアセンブリに固定された状態の吊り下げタグアセンブリと、穴鋸と、アダプタの側断面図である。
【図４】［0012］図４は、吊り下げタグアセンブリのキャップ部材とベース部材とが分離した状態の穴鋸のための吊り下げタグアセンブリの斜視図である。
【図５】［0013］図５は、吊り下げタグアセンブリのキャップ部材とベース部材とが分離した状態の図４の吊り下げタグアセンブリの側面図である。
【図６】［0014］図６は、係合されるときの図４の吊り下げタグアセンブリの連結構造のスナップ式の機構の側断面図である。
【図７】［0015］図７は、係合された後の図４の吊り下げタグアセンブリの連結構造のスナップ式の機構の側断面図である。
【図８】［0016］図８は、様々なサイズの穴鋸を備える吊り下げタグアセンブリの実施形態の断面図を示す。
【図９】図９は、様々なサイズの穴鋸を備える吊り下げタグアセンブリの実施形態の断面図を示す。
【図１０】図１０は、様々なサイズの穴鋸を備える吊り下げタグアセンブリの実施形態の断面図を示す。
【図１１】［0017］図１１は、図４の吊り下げタグアセンブリを使用して穴鋸を梱包する方法のフローチャートである。
【発明を実施するための形態】
【００１０】
［0018］発明の原理の理解を促進する目的で、図面に示され、以下に書かれる明細書に記載される実施形態が参照される。それにより発明の範囲が制限される意図がないことが理解される。さらに、本発明は、本発明に関連して当業者が通常想起するような、記載される実施形態のどのような変更及び修正も含み、発明の原理のさらなる適用をも含むことが理解される。
【００１１】
［0019］図１を参照すると、本開示による吊り下げタグアセンブリ１０が穴鋸１４を保持して示される。以下で説明されるように、吊り下げタグアセンブリ１０により、穴鋸１４を、円形の刃先を守るように覆いながら、簡単に取り外されず且つ穴鋸１４を最大限に露出させる方法で吊り下げタグに固定することができる。吊り下げタグアセンブリ１０は、穴鋸１４への取り付けのための別個の工具の使用を必要としない。穴鋸１４に一度取り付けられると、吊り下げタグアセンブリ１０は、別個の工具の使用なしで、又は吊り下げタグアセンブリ１０の部品を破壊させることなしでは取り外すことはできない。
【００１２】
［0020］図１及び図２に示されるように、穴鋸１４は、軸Ａを画定する概して円筒形の本体１６を有する。本体１６は、第１端部分１８及び第２端部分２０を含む。第１端部分１８は、穴鋸１４の取り付け部分を有し、穴鋸の本体１６をパワードリルのような駆動工具（図示せず）のアーバー（図示せず）に固定するように構成される。取り付け部分１８は、円筒形の本体１６をアーバーの回転軸に整列した軸Ａを備えた駆動工具のアーバーに固定するように構成される。
【００１３】
［0021］円筒形本体１６の第２端部分２０は、穴鋸１４の刃部分を有し、軸Ａを中心とする円形の刃先部分２２を含む。円形刃先部分２２は、軸Ａと直角の単一平面Ｓ内に実質的に存在する。円筒形本体１６及び円形刃先２２の直径は、穴鋸１４のサイズを画定する。穴鋸１４のような穴鋸は、より小さい又はより大きい穴鋸の直径も可能であるが、直径のサイズで概して５／８インチ（１．５８７５ｃｍ）から６インチ（１５．２４ｃｍ）に及ぶ。
【００１４】
［0022］一実施形態では、刃先部分２２は、複数の切歯（図示せず）を含む。歯の数、サイズ、形状は、異なる材料を切るために変えられ得る。実施形態では、スロット、又は刃溝（図示せず）が、切りくずの出口又は除去のための開口を提供するために切歯の間に形成され得る。他の実施形態では、刃先２２は、レンガ、コンクリート、ガラス、及び石のような材料に穴を掘る使用のためにダイアモンド又はカーバイド（図示せず）のような硬く、ザラザラした材料で覆われていてもよい。
【００１５】
［0023］図２を参照すると、取り付け部分１８は、駆動工具のアーバー（図示せず）を受けるように構成されたアーバー穴とも呼ばれる穴２６を画定する内部壁２４を含む。取り付け部分１８は、穴２６に開口３０を画定する外表面２８を含む。穴２６は、穴軸Ｂを画定する。穴２６は、円筒形本体１６の回転軸Ａに整列した穴軸Ｂを備える取り付け部分１８に配置される。穴鋸１４の円筒形本体１６は、中空内部スペース３２を画定する。穴２６は取り付け部分を通って延び、中空内部スペース３２に開口する。
【００１６】
［0024］穴２６は、駆動工具のアーバーを受けるように構成される。一実施形態では、穴２６の内部壁２４は、穴軸Ｂに平行に配置される一以上の溝又は凹部３４を画定する。溝３４は、アーバーに配置される、相補的に構成されるスプラインを受けるように構成される。溝とスプラインは、アーバーに対する穴鋸の回転運動を防止するために協働する。代替的な実施形態では、内部壁２４は、アーバー（図示せず）に設けられた補完するねじ山とかみ合うためのねじ山が設けられ得る。穴鋸のためのアーバーは、穴鋸１４のための中心穴を突き通すためのドリルビット又はパイロットビット（図示せず）を支えるように構成される。アーバーが穴鋸に固定されるとき、パイロットビットは、穴鋸１４の刃先部分２２上にパイロットビットの頂部を位置させるために穴鋸の中空内部を通る軸Ａに整列してアーバーから延在する。
【００１７】
［0025］いくつかの場合、穴鋸アダプタ２３が、穴鋸１４を駆動工具のアーバーに固定するために用いられ得る。図３を参照すると、アダプタ２３は、穴鋸１４の取り付け部分２８に開放可能に固定されるように構成された第１端部を有する概して円筒状の部材を有する。アダプタの第２端部は、駆動機構のアーバーに開放可能に固定されるように構成される。図３に示されるように、アダプタ２３は、アダプタを通って延在する穴２７を画定する内部壁２５を含む。アダプタは、穴２７内への開口３１を画定する外表面２９を含む。
【００１８】
［0026］図４及び図５を参照すると、穴鋸１４のための吊下げタグアセンブリ１０は、キャップ部材３６及びベース部材３８を含むツーピース構造を有する。キャップ部材３６及びベース部材３８は、射出成形プロセスにおいて硬質プラスチックから形成される。キャップ部材３６は、穴鋸の取り付け部分に隣接して配置され、ベース部材３８は、穴鋸の刃先部分に隣接して配置される。キャップ部材３６及びベース部材３８は、連結構造４０により互いに固定され、連結構造４０は、取り付け部分１８の穴２６（及び取り付けられている場合はアダプタの穴２７）及び穴鋸１４の中空内部３２を通過してベース部材３８に延在する。
【００１９】
［0027］吊下げタグアセンブリ１０のベース部材３８は、内側対向表面４２と外側対向表面４４とを含む。ベース部材３８がキャップ部材３６に固定されたとき、内側対向表面４２はキャップ部材３６に向かって対向して配置される。内側対向表面４２は、穴鋸１４の円形刃先２２に対して同一平面上に位置し得るように概して平面状であり、且つ内側対向表面４２が円形刃先２２の全体に重なることができる大きさである。図４及び図５の実施形態では、ベース部材３８は、吊下げタグアセンブリに固定される穴鋸の円形刃先の直径よりもわずかに大きい直径を備えた概して円形形状を有する。代替的な実施形態では、ベース部材３８は、内側対向表面４２が穴鋸の刃先２２を実質的に覆うことができる任意の形又は大きさを有し得る。
【００２０】
［0028］吊下げタグアセンブリ１０のキャップ部材３６は、ベース部材３８に対向する内側対向表面４６と、ベース部材３８から離れた方向に対向する外側対向表面４８とを含む。キャップ部材３６の内側対向表面４２は、穴鋸１４の取り付け部分１８の外表面２８に隣接して位置するように構成される。キャップ部材３６は、内側対向表面４２が取り付け部分１８の外表面２８に画定される穴への開口３０の実質的に全体に重なることができるような大きさ及び形を有する。
【００２１】
［0029］キャップ部材３６は展示カード部分５０を含む。展示カード部分５０は、吊下げスロット５２を画定する概して平面構成を有する。吊下げスロット５２により、吊下げタグアセンブリ１０（及びそこに取り付けられる穴鋸１４）を展示ラックのフック（図示せず）で支持することができる。一実施形態では、展示カード部分５０は、キャップ部材３６と一体的に形成される。他の実施形態では、展示カード部分５０は、キャップ部材３６に取り付けられる別個の部品として構成され得る。吊下げタグアセンブリ１０は、展示カード部分５０に概して平行に配置される穴鋸の軸Ａで穴鋸１４を支持するように構成されるが、他の実施形態では展示カード部分５０は穴鋸に対して他の方向を有し得る。他の代替的な実施形態では、展示カード部分５０は、キャップ部材３６ではなく、吊下げタグアセンブリ１０のベース部材３８に組み込まれ得る。
【００２２】
［0030］図２を参照すると、吊下げタグアセンブリ１０により、Ｓｅｎｓｏｒｍａｔｉｃタグのようなセキュリティー機器５４が、小売店における盗難を防止するために梱包に組み込まれることができる。一実施形態では、セキュリティー機器５４は、展示カード部分５０の表面５７に画定される凹部５６に受けられる。ラベル５９が、凹部５６を覆って表面５７に付着し、セキュリティー機器５４が容易に取り除かれることを防止し且つセキュリティー機器５４を見えないように隠す。
【００２３】
［0031］図２及び図３に示すように、連結構造４０は、ベース部材３８の内側対向表面４２とキャップ部材３６の内側対向表面４６との間に延在し、これらを接続する。連結構造４０はベース連結構造５８とキャップ連結構造６０とを含む。ベース連結構造５８はベース部材３８の一体部品として設けられ、キャップ連結構造６０はキャップ部材３６の一体部品として設けられる。
【００２４】
［0032］キャップ連結構造６０は、キャップ部材３６の内側対向表面４６から概して直交して延在する脚を有する。脚６０は、穴鋸１４（図２）の取り付け部分１８に画定される穴２６と、アダプタ２３が穴鋸１４（図３）に取り付けられている場合はアダプタ２３に画定される穴２７とを通過して延在する大きさである。キャップ部材３６が穴鋸（図２）の穴２６又はアダプタ２３（図３）の穴２７を覆って位置するとき、脚６０は穴を通過して穴鋸１４の円筒形本体１６により画定される中空内部３２に延在する。
【００２５】
［0033］ベース部材３８のベース連結構造５８は、内側対向表面４２から概して直交して延在するポスト又は円柱を有する。ベース部材３８の内側対向表面４２が穴鋸１４の円形刃先２２に隣接して配置されるとき、ポスト５８は、穴鋸１４の中空内部３２内に配置される。図４に最もよく示されるように、ベース部材３８は、ポスト５８から放射状に延在し、ポスト５８の外表面６４をベース部材３８の内側対向表面４２に接続するリブ６２を含む。リブ６２は、ポスト５８に対して概して平行であり且つベース部材３８の内側対向表面４２に対して直角に方向づけられ、ベース部材３８に対する屈曲に対してポスト５８を強化する働きをする。
【００２６】
［0034］図５を参照すると、脚６０は、キャップ部材３６の内側対向表面４６から所定長即ち距離Ｆの長さで延在するように構成され、ポスト５８は、ベース部材３８の内側対向表面４２から所定長即ち距離Ｇの長さで延在するように構成される。距離Ｆ、Ｇは、ポスト５８及び脚６０が穴鋸１４の中空内部３２内で接触できるように選択される。連結構造４０のポスト５８及び脚６０には、穴鋸１４の中空内部３２内でポストと脚とを互いに固定するために協働する、相補的に構成されるロッキング機構が設けられる。一実施形態では、ポスト５８及び脚６０のロッキング機構は、ベース部材３８とキャップ部材３６とを共に固定するために互いにスナップ式に係合されるように構成される。
【００２７】
［0035］図５に示されるように、ポスト５８は、チャネル６８を画定する内部壁６６を含む。チャネル６８は、穴鋸の軸Ａ（図２）に概して平行に配置されるチャネル軸Ｃを画定する。ポスト５８の遠位端部分７０は、チャネル６８への開口７２を画定する。ポスト５８の遠位端部分７０は、チャネル６８の内部壁６６からチャネル軸Ｃに向かって延在するフランジ構造７４を含む。フランジ構造７４により、開口７２の幅がチャネル６８の幅即ち直径よりも小さくなる。図６及び図７を参照すると、フランジ構造７４は、ベース部材３８の方向を向くロッキング面７６を含む。ロッキング面７６は、チャネルの軸Ｃに対して実質的に直交して配置される。フランジ構造７４は、ベース部材３８から離れた方向を向く面取り又は傾斜面７８を同様に含む。面取り又は傾斜面７８は、チャネル６８への開口７２を少なくとも部分的に包囲し、開口７２を画定する。
【００２８】
［0036］脚６０は頂上部分８０を有し、頂上部分８０は、頂上部分８０に隣接する脚６０の部分の幅又は直径よりも大きい幅又は直径を有する。図６及び図７に示すように、頂上部分８０は、キャップ部材３６から概して離れる方に対向する面取り又は傾斜面８２を含む。頂上部分８０は、同様にキャップ部材３６に向かって対向し、脚６０の軸Ｄに実質的に直交して配向されるロッキング面８４を含む。
【００２９】
［0037］脚の頂上部分８０は、フランジ構造７４により画定されるチャネル６８への開口７２の幅又は直径よりかすかに大きい外径を有する。頂上部分８０の外径は、チャネル６８の残部の内径よりも小さい。ポスト５８と脚６０を共に固定するために、脚６０の頂上部分８０は、図６に示すように、チャネル６８への開口７２に整列され、開口７２を囲むフランジ構造７４に対して押し付けられる。頂上部分８０により、フランジ構造７４は、チャネルの軸Ｃから外側に離れてそらされ、脚６０の頂上部分８０がチャネル６８内に入り込むことができる。挿入の間、頂上部分８０の面取り面８２は、チャネルへの開口７２を囲む面取り面７８に係合してフランジ構造７４の外側へのそりを促進させる。フランジ構造７４のそりをさらに促進させるために、スロット８６（図４）が、ポストの遠位端部分７０を通過して延在するポスト５８に画定され、開口７２に結合される。スロット８６は、フランジ構造７４を互いに分離し、フランジ構造７４の支点をポストの遠位端部分７０からベース部材３８に向かって移動させる。
【００３０】
［0038］脚６０の頂上部分８０がフランジ構造７４を通過してチャネル６８内へ前進されると、脚６０の縮小部分によりフランジ構造７４が緩んで、図７に示すように、通常位置に戻る。フランジ構造７４が通常位置に戻ると、フランジ構造７４のロッキング面７６は、頂上構造８０のロッキング面８４の前に位置して対向し、それにより脚の頂上部分８０がチャネル６８から引き抜かれることを防止する。チャネル６８の軸Ｃに直交してロッキング面７６，８４が方向づけられることにより、結果として生じる接合部が、分離工具の使用なしに、又はパーツの一つを破壊することなしには実質的に分離できないようにされる。
【００３１】
［0039］脚６０の頂上部分８０がチャネル６８内にロックされると、ベース部材３８の内側対向表面４２及びキャップ部材３６の内側対向表面４６は、所定の距離Ｅだけ互いに離れて保持される。距離Ｅは、実質的に穴鋸の高さに対応する。穴鋸の高さは、取り付け部分１８の外表面２８と円形刃先２２との間の距離に対応する（図２）。アダプタ２３が穴鋸に取り付けられると、穴鋸１４の高さはアダプタの外表面２９と穴鋸の刃先部分２２との間の距離に対応する（図３）。刃先２２がベース部材３８に隣接して位置するとき、キャップ部材３６は、ベース３８から離れる刃先２２の動きが防止されるように取り付け部分１８の外表面２８に隣接して保持される。
【００３２】
［0040］吊下げタグアセンブリ１０は、キャップ部材３６及びベース部材３８に対して穴鋸１４の回転運動を防止又は制限するように同様に構成される。再び図２，４及び５を参照すると、キャップ部材３６の脚６０は、脚の軸Ｄに概して平行な脚６０に沿って延在するリブ又はスプライン８８を含む。スプライン８８は、穴２６に画定される溝３４を補完するように構成される。脚６０が取り付け部分１８内の穴２６を通過して前進すると、スプライン８８は溝３４に受けられる。代替的に、スプライン８８は、穴鋸の取り付け部分内のねじ穴内の摩擦適合を提供するように構成され得る。
【００３３】
［0041］ベース部材３８、キャップ部材３６、ポスト５８、及び脚６０の寸法及び形状は、異なる高さ、直径、アーバー穴径、及びアーバー穴形状を有する穴鋸を収容するために修正され得る。図８−１０は、様々な大きさ及び型の穴鋸１４を支持し保持するように構成された吊下げタグアセンブリ１０の実施形態を示す。
【００３４】
［0042］図１−１０の実施形態においては、単一の頂上部分８０は、吊下げタグアセンブリ１０が特定の高さの穴鋸を固定するために使用され得るようにする脚に設けられる。代替的な実施形態では、特定の吊下げタグアセンブリ１０が様々な高さの穴鋸を収容できるようにするために、複数の頂上部分（図示せず）が、脚の軸Ｄに対して所定の位置で脚に設けられ得る。また、ベース部材３８はメス部分（ポスト）を有するものとして説明され、キャップ部材３６はスナップ式結合のオス部分（脚）を有するとしたが、スナップ式結合のオス及びメス部分は、ベース部材３８がオス部分（脚）を含みキャップ部材３６がスナップ式結合のメス部分（ポスト）を含むように取り替えられ得る。
【００３５】
［0043］穴鋸を梱包する方法を示すフローチャートが図１１に示される。この方法によれば、穴鋸の円形刃先が吊下げタグアセンブリのベース部材の平面即ち内側対向表面に対して配置される（ブロック１００）。ベース部材は、平面から穴鋸により画定される中空内部に延在するポストを含む。穴鋸は、穴鋸の取り付け部分に画定される穴に整列されるポストを有する平面に配置される（ブロック１０４）。吊下げタグアセンブリのキャップ部材は、続いて、穴鋸の取り付け部分に隣接して配置される（ブロック１０８）。キャップ部材は脚を含む。キャップ部材の脚は、穴を通過し、穴鋸の中空内部に前進される（ブロック１１０）。
【００３６】
［0044］ベース部材から延在するポストは、キャップ部材から延在する脚部分を受けるように構成されたチャネルを画定する内部壁を含む。脚及びポストの内部壁は、キャップ部材をベース部材に固定するために互いにスナップ式係合を有するように構成される。脚をポストに固定するために、キャップ部材は、脚がポストのチャネル内の所定位置にはめ込まれるまで、ベース部材に向かって押される（ブロック１１４）。共に固定されたとき、ポストと脚は、穴鋸の高さに対応するベース部材からの所定距離にキャップ部材を位置させる働きをする。
【００３７】
［0045］吊下げタグアセンブリの構成は、穴鋸のための以前から知られている梱包アセンブリに対して有利な点をもたらす。例えば、スナップ式のロッキング機構の使用により、キャップ部材を分離工具の使用なしでベース部材にロックすることができ、分離工具の使用又はパーツの一つを破壊することなしに分離することを困難にする。上述したように穴鋸がキャップ部材とベース部材との間に固定されたとき、連結構造のロッキング機構は、より安全性を高める穴鋸の中空内部内に実質的に囲まれる。さらに、吊下げタグアセンブリのデザインは、刃先を安全に覆いながら、店の棚及び展示ラックに穴鋸をほとんど全て露出させることができる。
【００３８】
［0046］本発明が図面及び上記の記載に詳細に説明され示されているが、本発明は例示的なものであり、その性質に制限されるものではないと考えるべきである。好ましい実施形態のみが提示されており、本発明の思想の範囲内の全ての変更、修正及びさらなる追加が保護されるべきである。
【図１】
2015511200.tif 000003
【図２】
2015511200.tif 000004
【図３】
2015511200.tif 000005
【図４】
2015511200.tif 000006
【図５】
2015511200.tif 000007
【図６】
2015511200.tif 000008
【図７】
2015511200.tif 000009
【図８】
2015511200.tif 000010
【図９】
2015511200.tif 000011
【図１０】
2015511200.tif 000012
【図１１】
2015511200.tif 000013
【手続補正書】
【提出日】平成26年8月26日(2014.8.26)
【手続補正１】
【補正対象書類名】特許請求の範囲
【補正対象項目名】全文
【補正方法】変更
【補正の内容】
【特許請求の範囲】
【請求項１】
穴鋸を梱包する方法であって、
前記穴鋸の円形刃先部分を吊下げタグアセンブリのベース部材の表面に対して配置する工程であって、前記ベース部材は前記表面から前記穴鋸により画定される中空内部に延在するポストを含む、工程と、
前記吊下げタグアセンブリのキャップ部材を前記穴鋸の取り付け部分に隣接して配置する工程であって、前記キャップ部材は脚と展示カード部分を含む、工程と、
前記キャップ部材の前記脚を前記穴鋸の前記取り付け部分に画定される穴を通過させて前記穴鋸の前記中空内部に前進させる工程と、
前記穴鋸の前記中空内部内で前記ポストを前記脚に固定する工程と、を含む、方法。
【請求項２】
請求項１に記載された方法において、
前記ポスト及び前記脚が共に固定されたとき、前記キャップ部分は前記ベース部材から所定の距離に位置され、前記所定の距離は前記穴鋸の高さに対応する、方法。
【請求項３】
請求項１に記載された方法において、
前記ポストは、チャネルと前記チャネル内への開口を画定する遠位端部分とを画定する内部壁を含み、
前記脚は、前記開口を通過して、前記ポストに画定される前記チャネル内に前進される、方法。
【請求項４】
請求項３に記載された方法において、
前記脚は、前記チャネル内での前記ポストとのスナップ式の係合用に構成される、方法。
【請求項５】
請求項４に記載された方法において、
前記ポストは、前記内部壁から前記チャネル内に突出するフランジ構造を含み、
前記脚は、頂上部分を含み、
前記脚が前記チャネル内に前進されたとき、前記脚の前記頂上部分は、前記フランジ構造を外側にそらして前記頂上部分に前記チャネル内の前記フランジ構造を通過させて前進させ、
前記頂上部分が前記チャネル内の前記フランジ構造を通過して前進された後、前記フランジ構造は通常位置に戻り、前記頂上部分が前記チャネルから取り外されることを防止する、方法。
【手続補正２】
【補正対象書類名】明細書
【補正対象項目名】００３８
【補正方法】変更
【補正の内容】
【００３８】
［0046］本発明が図面及び上記の記載に詳細に説明され示されているが、本発明は例示的なものであり、その性質に制限されるものではないと考えるべきである。好ましい実施形態のみが提示されており、本発明の思想の範囲内の全ての変更、修正及びさらなる追加が保護されるべきである。
以下に本明細書が開示する形態のいくつかを記載しておく。
[形態１]  穴鋸を梱包する方法であって、
前記穴鋸の円形刃先部分を吊下げタグアセンブリのベース部材の表面に対して配置する工程であって、前記ベース部材は前記表面から前記穴鋸により画定される中空内部に延在するポストを含む、工程と、
前記吊下げタグアセンブリのキャップ部材を前記穴鋸の取り付け部分に隣接して配置する工程であって、前記キャップ部材は脚と展示カード部分を含む、工程と、
前記キャップ部材の前記脚を前記穴鋸の前記取り付け部分に画定される穴を通過させて前記穴鋸の前記中空内部に前進させる工程と、
前記穴鋸の前記中空内部内で前記ポストを前記脚に固定する工程と、を含む、方法。
[形態２]  形態１に記載された方法において、
前記ポスト及び前記脚が共に固定されたとき、前記キャップ部分は前記ベース部材から所定の距離に位置され、前記所定の距離は前記穴鋸の高さに対応する、方法。
[形態３]  形態１に記載された方法において、
前記ポストは、チャネルと前記チャネル内への開口を画定する遠位端部分とを画定する内部壁を含み、
前記脚は、前記開口を通過して、前記ポストに画定される前記チャネル内に前進される、方法。
[形態４]  形態３に記載された方法において、
前記脚は、前記チャネル内での前記ポストとのスナップ式の係合用に構成される、方法。
[形態５]  形態４に記載された方法において、
前記ポストは、前記内部壁から前記チャネル内に突出するフランジ構造を含み、
前記脚は、頂上部分を含み、
前記脚が前記チャネル内に前進されたとき、前記脚の前記頂上部分は、前記フランジ構造を外側にそらして前記頂上部分に前記チャネル内の前記フランジ構造を通過させて前進させ、
前記頂上部分が前記チャネル内の前記フランジ構造を通過して前進された後、前記フランジ構造は通常位置に戻り、前記頂上部分が前記チャネルから取り外されることを防止する、方法。
[形態６]  穴鋸展示梱包であって、
刃先部分と取り付け部分とを有する円筒形本体を含む穴鋸であって、前記円筒形本体は中空内部を画定し、前記取り付け部分は駆動工具のアーバーを受けるための穴を画定する外表面を含む、穴鋸と、
吊下げタグアセンブリであって、
表面と前記表面から延在する第１連結構造とを有するベース部材と、
内表面と前記内表面から延在する第２連結構造とを有するキャップ部材と、
前記キャップ部材に取り付けられる展示カード部分と、を有する吊り下げタグアセンブリと、を有し、
前記穴鋸の前記刃先部分は、前記ベース部材の前記表面に対して配置され、
前記キャップ部材の前記内表面は、前記取り付け部分の前記外表面に隣接して配置され、
前記第２連結構造は、前記外表面に画定される前記穴を通過して前記穴鋸の前記中空内部内へ延在し、
前記第１連結構造は、前記キャップ部材を前記ベース部材に取り付けるために前記中空内部内で前記第２連結構造に固定される、穴鋸展示梱包。
[形態７]  形態６に記載されたアセンブリにおいて、
前記第１連結構造及び前記第２連結構造は、前記ベース部材の前記表面と前記キャップ部材の前記内部表面とを互いに所定距離離して保持し、前記所定距離は前記刃先部分と前記穴鋸の前記取り付け部分の前記外表面との間の距離に対応する、アセンブリ。
[形態８]  形態６に記載されたアセンブリにおいて、
前記第１連結構造及び第２連結構造は、前記第１連結構造を前記第２連結構造に固定するために相互のスナップ式の係合用に構成される、アセンブリ。
[形態９]  形態８に記載されたアセンブリにおいて、
前記第１連結構造は、チャネルを画定するポストを有し、
前記第２連結構造は、前記チャネル内に受けられる脚を有する、アセンブリ。
[形態１０]  形態６に記載されたアセンブリにおいて、
前記吊下げタグアセンブリは、セキュリティー機器を含む、アセンブリ。
[形態１１]  形態６に記載されたアセンブリにおいて、
前記ベース部材の前記表面は、前記穴鋸の前記刃先部分に重なる、アセンブリ。
[形態１２]  穴鋸のための吊下げタグアセンブリであって、
表面と前記表面から延在する第１連結構造とを含むベース部材と、
内表面と前記内表面から延在する第２連結構造とを含むキャップ部材と、
前記キャップ部材に取り付けられる展示カード部分であって、前記展示カード部分は吊下げスロットを画定する、展示カード部分と、を有し、
前記第１連結構造及び前記第２連結構造は、前記キャップ部材を前記ベース部材に取り付けるために互いに固定されるように構成され、
前記ベース部材の前記平面は、穴鋸の円形刃先部分に対して配置されるように構成され、
前記キャップ部材の前記内表面は、前記穴鋸の取り付け部分に隣接して配置されるように構成され、
前記第２連結構造は、前記内表面が前記穴鋸の前記取り付け部分に隣接して配置されたときに、前記取り付け部分により画定される穴を通じて延在するように構成され、
前記ベース部材の前記表面が前記穴鋸の前記刃先部分に隣接して配置され且つ前記キャップ部材の前記内表面が前記穴を通じて延在する前記第２連結構造で前記穴鋸の前記取り付け部分に隣接して配置されたとき、前記第１連結構造及び前記第２連結構造は、前記穴鋸内に画定される中空内部内で接触するように構成される、吊下げタグアセンブリ。
[形態１３]  形態１２に記載された吊下げタグアセンブリにおいて、
前記第１連結構造及び前記第２連結構造は、前記穴鋸の前記中空内部内で互いに固定されるように構成される、吊下げタグアセンブリ。
[形態１４]  形態１２に記載された吊下げタグアセンブリにおいて、
前記展示カード部分に取り付けられるセキュリティー機器を有する、吊下げタグアセンブリ。
[形態１５]  形態１２に記載された吊下げタグアセンブリにおいて、
前記ベース部材の前記表面は、前記穴鋸の前記円形刃先部分に重なるように構成された円形形状を有する、吊下げタグアセンブリ。
[形態１６]  形態１２に記載された吊下げタグアセンブリにおいて、
記第１連結構造及び前記第２連結構造が互いに固定されたとき、前記キャップ部材の前記内表面は前記ベース部材の前記表面から所定距離で保持され、前記所定距離は前記穴鋸の高さに対応する、吊下げタグアセンブリ。
【国際調査報告】
2015511200.tif 000014
2015511200.tif 000015
2015511200.tif 000016